(57)【要約】【課題】  装着者に与える圧迫感などを抑制しながら運動時の装着者の脂肪部分の揺れを制御することが可能なスポーツ用衣類を提供する。【解決手段】  スポーツ用ブラジャー１は、装着者の乳房を受け入れるカップ部２と、カップ部２の周縁部に沿って設けられた第１部分２Ａと、カップ部２の周縁部に沿って第１部分を挟むように設けられた第２部分２Ｂとを備える。第１部分２Ａは強緊締素材で構成され、第２部分２Ｂは、縦方向の緊締力が第１部分２Ａの緊締力と同程度であり、第１部分２Ａの長手方向である横方向の緊締力が縦方向の緊締力よりも弱い素材で構成される。【選択図】        図２
2006104613.tif 000002
【特許請求の範囲】
【請求項１】
装着者の乳房を受け入れるカップ部と、
前記カップ部の周縁部に沿って設けられた第１部分と、
前記カップ部の周縁部に沿って前記第１部分と隣接するように設けられた第２部分とを備え、
前記第２部分は、前記第１部分の長手方向である第１方向の緊締力が該第１方向と直交する第２方向の緊締力よりも弱い材質で構成され、
前記第１部分の前記第１方向の緊締力が前記第２部分の前記第１方向の緊締力よりも強いスポーツ用衣類。
【請求項２】
装着者の乳房を受け入れるカップ部と、
前記カップ部の周縁部に沿って設けられた第１部分と、
前記カップ部の周縁部に沿って前記第１部分を挟むように設けられた第２部分とを備え、
前記第２部分は、前記第１と第２部分が並ぶ第１方向の緊締力が該第１方向と直交する第２方向の緊締力よりも弱い材質で構成され、
前記第１部分の前記第１方向の緊締力が前記第２部分の前記第１方向の緊締力よりも強いスポーツ用衣類。
【請求項３】
前記カップ部に対して前記第１と第２部分の少なくとも反対側に前記カップ部に沿って該カップ部の外側に設けられ、前記第２部分の前記第１方向の緊締力よりも強い緊締力を有する第３部分をさらに備えた、請求項１または請求項２に記載のスポーツ用衣類。
【請求項４】
前記カップ部は前記第１と第２部分と前記装着者の乳房との間に設けられ、該乳房に当接する内層部を有し、
前記内層部は前記装着者の乳房を保持する凹凸部分を有する、請求項１から請求項３のいずれかに記載のスポーツ用衣類。
【請求項５】
前記カップ部は前記第１と第２部分と前記装着者の乳房との間に設けられ、該乳房に当接する内層部を有し、
前記内層部は相対的に緊締力が強い編地部分と相対的に緊締力が弱い編地部分とを含む、請求項１から請求項３のいずれかに記載のスポーツ用衣類。
【請求項６】
前記第１および第２部分と前記内層部との間に衝撃吸収性を有する中間層部をさらに備えた、請求項４または請求項５に記載のスポーツ用衣類。
【請求項７】
前記第１と第２部分は前記カップ部の下部に設けられる、請求項１から請求項６のいずれかに記載のスポーツ用衣類。
【請求項８】
前記第３部分の上側に前記装着者の肩に掛けられる肩紐部をさらに備え、
前記肩紐部は前記第３部分に隣接する位置から前記第３部分と離れる位置に向かって段階的に緊締力が弱くなるように形成される、請求項７に記載のスポーツ用衣類。
【請求項９】
装着者の臀部を受けるサポート部と、
前記サポート部の周縁部に沿って設けられた第１部分と、
前記サポート部の周縁部に沿って前記第１部分と隣接するように設けられた第２部分とを備え、
前記第２部分は、前記第１部分の長手方向である第１方向の緊締力が該第１方向と直交する第２方向の緊締力よりも弱い材質で構成され、
前記第１部分の前記第１方向の緊締力が前記第２部分の前記第１方向の緊締力よりも強いスポーツ用衣類。
【請求項１０】
装着者の臀部を受けるサポート部と、
前記サポート部の周縁部に沿って設けられた第１部分と、
前記サポート部の周縁部に沿って前記第１部分を挟むように設けられた第２部分とを備え、
前記第２部分は、前記第１と第２部分が並ぶ第１方向の緊締力が該第１方向と直交する第２方向の緊締力よりも弱い材質で構成され、
前記第１部分の前記第１方向の緊締力が前記第２部分の前記第１方向の緊締力よりも強いスポーツ用衣類。
【発明の詳細な説明】
【技術分野】
【０００１】
本発明は、スポーツ用衣類に関し、特に、装着者に与える圧迫感などを抑制しながら運動時の装着者の脂肪部分（乳房、臀部など）の揺れを制御することが可能なスポーツ用衣類に関する。
【背景技術】
【０００２】
運動時に使用されるブラジャーなどのスポーツ用衣類が従来から知られている。
【０００３】
たとえば、特開平８−１００３０８号公報（従来例１）においては、女性用衣類に用いられる乳房カップが開示されている。ここでは、乳房カップの膨らみの頂点を通る水平な仮想線（Ａ）により乳房カップがカップ上部分とカップ下部分とに分けられ、カップ上部分を横切る方向に帯状の補強部分（ａ）と、該補強部分（ａ）に連結され上記仮想線（Ａ）を越えてカップ下部分に至る帯状の補強部分（ｂ）とが設けられている。
【０００４】
また、特許第２９３０９３２号公報（従来例２）においては、ストレッチ性のある素材からなる保護テープをスポーツブラジャーのフロント布部に縫着してバストの揺れを抑制する技術が開示されている。
【特許文献１】特開平８−１００３０８号公報
【特許文献２】特許第２９３０９３２号公報
【発明の開示】
【発明が解決しようとする課題】
【０００５】
しかしながら、上記のようなスポーツ用衣類においては、以下のような問題があった。
【０００６】
運動時の脂肪部分（たとえば乳房）の揺れを抑制するためには、スポーツ用衣類における当該脂肪部分に位置する部分が、ある程度の緊締力を有することが必要である。一方で、当該部分の緊締力が強すぎると、装着者が圧迫感や息苦しさを感じることになる。従来のスポーツ用衣類においては、この問題が必ずしも十分に解決されない。
【０００７】
本願発明者らが検討した結果、脂肪部分の揺れの主方向と該主方向に直交する方向とで弾性係数が異なる部分を設けることで、運動時の脂肪部分の揺れを制御しながら該脂肪部分に作用する力を分散させることができることが分かった。なお、従来例１，２においては、このような思想は開示されていない。
【０００８】
本発明は、上記のような問題に鑑みてなされたものであり、本発明の目的は、装着者に与える圧迫感などを抑制しながら運動時の装着者の脂肪部分の揺れを制御することが可能なスポーツ用衣類を提供することにある。
【課題を解決するための手段】
【０００９】
本発明に係るスポーツ用衣類は、１つの局面では、装着者の乳房を受け入れるカップ部と、カップ部の周縁部に沿って設けられた第１部分と、カップ部の周縁部に沿って第１部分と隣接するように設けられた第２部分とを備え、第２部分は、第１部分の長手方向である第１方向の緊締力が該第１方向と直交する第２方向の緊締力よりも弱い材質で構成され、第１部分の第１方向の緊締力が第２部分の第１方向の緊締力よりも強い。
【００１０】
本構成によれば、装着者に与える圧迫感などを抑制しながら運動時の装着者の乳房の揺れを制御することができる。
【００１１】
本発明に係るスポーツ用衣類は、他の局面では、装着者の乳房を受け入れるカップ部と、カップ部の周縁部に沿って設けられた第１部分と、カップ部の周縁部に沿って第１部分を挟むように設けられた第２部分とを備え、第２部分は、第１と第２部分が並ぶ第１方向の緊締力が該第１方向と直交する第２方向の緊締力よりも弱い材質で構成され、第１部分の第１方向の緊締力が第２部分の第１方向の緊締力よりも強い。
【００１２】
本構成によれば、第１部分の両側に第２部分が設けられることで、運動時の装着者の乳房の揺れを制御しやすくなる。
【００１３】
ここで、カップ部に対して第１と第２部分の少なくとも反対側にカップ部に沿って該カップ部の外側に設けられ、第２部分の第１方向の緊締力よりも強い緊締力を有する第３部分がさらに備えられることが好ましい。
【００１４】
第３部分が設けられることにより、第１と第２部分の反対側からカップ部をしっかりと保持することができる。この結果、装着者の乳房の揺れをさらに制御しやすくなる。
【００１５】
カップ部は第１と第２部分と装着者の乳房との間に設けられ、該乳房に当接する内層部を有し、内層部は装着者の乳房を保持する凹凸部分を有することが好ましい。また、内層部が相対的に緊締力が強い編地部分と相対的に緊締力が弱い編地部分とを含むようにしてもよい。
【００１６】
このような内層部が設けられることにより、乳房をしっかりと保持することができる。この結果、乳房とカップ部とのずれが抑制され、乳房の揺れの制御が行ないやすくなる。
【００１７】
第１および第２部分と内層部との間に衝撃吸収性を有する中間層部がさらに備えられることが好ましい。
【００１８】
衝撃吸収性を有する中間層部が設けられることで、乳房の揺れの位相をより効果的に遅らせることが可能になる。
【００１９】
第１と第２部分はカップ部の下部に設けられることが好ましい。
【００２０】
下方向については、着地時の衝撃と乳房部の慣性力のため、乳房の加速度が最も大きくなる傾向にある。第１と第２部分をカップ部の下部に設けることにより、この大きな揺れを制御することができるようになる。
【００２１】
第１と第２部分がカップ部の下部に設けられる場合において、第３部分の上側に装着者の肩に掛けられる肩紐部がさらに備えられ、該肩紐部は第３部分に隣接する位置から第３部分と離れる位置に向かって段階的に緊締力が弱くなるように形成されることが好ましい。
【００２２】
これにより、肩紐部分が過度に伸びて乳房の揺れ制御が阻害されることを抑制することができる。
【００２３】
本発明に係るスポーツ用衣類は、さらに他の局面では、装着者の臀部を受けるサポート部と、サポート部の周縁部に沿って設けられた第１部分と、サポート部の周縁部に沿って第１部分と隣接するように設けられた第２部分とを備え、第２部分は、第１部分の長手方向である第１方向の緊締力が該第１方向と直交する第２方向の緊締力よりも弱い材質で構成され、第１部分の第１方向の緊締力が第２部分の第１方向の緊締力よりも強い。
【００２４】
上記構成によれば、装着者に与える圧迫感などを抑制しながら運動時の装着者の臀部の揺れを制御することができる。
【００２５】
本発明に係るスポーツ用衣類は、さらに他の局面では、装着者の臀部を受けるサポート部と、サポート部の周縁部に沿って設けられた第１部分と、サポート部の周縁部に沿って第１部分を挟むように設けられた第２部分とを備え、第２部分は、第１と第２部分が並ぶ第１方向の緊締力が該第１方向と直交する第２方向の緊締力よりも弱い材質で構成され、第１部分の第１方向の緊締力が第２部分の第１方向の緊締力よりも強い。
【００２６】
第１部分の両側に第２部分が設けられることで、運動時の装着者の臀部の揺れを制御しやすくなる。
【発明の効果】
【００２７】
本発明によれば、装着者に圧迫感などを与えることなく運動時の脂肪部分の揺れを制御することができる。
【発明を実施するための最良の形態】
【００２８】
以下に、本発明に基づくスポーツ用衣類の実施の形態について説明する。
【００２９】
本実施の形態に係るスポーツ用衣類は、典型的には、装着者の乳房（バスト）を受け入れるカップ部を備えたスポーツ用ブラジャーであるが、当該衣類は、たとえば水着、レオタード、ボディースーツなどのように、上半身から下半身までを覆う衣類であってもよい。また、本願発明の技術的思想は、装着者の臀部を受ける尻当て部（サポート部）を備えたスパッツやその他の脂肪部分に当接する衣類にも適用可能である。
【００３０】
以下では、スポーツ用衣類としてのスポーツ用ブラジャーについて説明する。
【００３１】
スポーツ用ブラジャーは、装着者のバストを受け入れるカップ部を備える。カップ部は、典型的には、外層部（表地）と、装着者のバストに接触する内層部と、外層部と内層部との間に設けられる中間層部とを有する。ただし、場合によっては、中間層部を省略することも可能である。
【００３２】
外層部は、丸編み機で編成されてもよいし、カットソーにより形成されてもよい。外層部においては、カップ部の周縁部に沿って、第１部分と第２部分とが設けられる。ここで、第１部分は、典型的には、カップ部内に配置されるが、カップ部の周縁に沿って配置される限り、カップ部の外側に配置されてもよい。また、第２部分は、カップ部内に配置されてもよいし、カップ部の外側に配置されてもよい。また、第２部分は、典型的には、第１部分の両側に該第１部分を挟むように設けられるが、第１部分の片側にのみ隣接して設けられていてもよい。
【００３３】
第１部分は、装着者のバストの揺れの主方向に直交する方向が長手方向となるように設けられる。ここで、第１部分の長手方向とは、第１部分が一定の幅をもってカップ部の周縁部に沿って伸びている方向を意味する。たとえば、ランニング時のバストの主な揺れ方向は上下方向（縦方向）であるため、ランニング時のバストの揺れを制御するためのブラジャーにおいては、第１部分は、その長手方向が横方向になるように設けられる。また、この場合、バストの加速度が特に大きくなるのは着地時であるため、第１部分は、その大きな加速度を吸収するため、カップ部の下部に設けられる。以上は、第１部分の長手方向および該第１部分が設けられる位置の一例であって、これらは、着目するバストの揺れの特性に応じて適宜変更することが可能である。
【００３４】
第２部分は、第１部分の長手方向である第１方向の緊締力が該第１方向と直交する第２方向の緊締力よりも弱い材質で構成されている。また、第１部分の第１方向の緊締力は、第２部分の第１方向の緊締力よりも強い。換言すると、第１部分は第１と第２方向の緊締力が強い材質で構成され、第２部分は第１方向の緊締力が弱く、第２方向の緊締力が強い材質で構成されている。すなわち、第２部分は第１と第２方向で緊締力が異なる異方性を有する。
【００３５】
たとえば、ランニング時のバストの揺れを制御するためのブラジャーにおいては、上述したように、第１部分の長手方向が横方向であるため、第１方向は横方向、第２方向は縦方向となる。したがって、この場合、第１部分は縦／横方向の緊締力が強い材質で構成され、第２部分は縦方向の緊締力が強く、横方向の緊締力が弱い材質で構成されることになる。
【００３６】
ここで、緊締力とは、伸長に対する素材の抵抗力を意味する。緊締力の強弱は、一定荷重時における生地の伸長率の大小で確認することができる。すなわち、緊締力の強い生地は伸長率が小さく、弱い生地は伸長率が大きい。
【００３７】
本願明細書において、「緊締力が強い」とは、たとえば、４．９Ｎ（５００ｇｆ）荷重時の伸長率（＝α）が１０パーセント以上４０パーセント未満程度であることを意味し、「緊締力が弱い」とは、たとえば、上記伸長率（α）が４０パーセント以上程度であることを意味する。第１と第２部分の緊締力がこの程度であれば、締め付けが強過ぎて運動が阻害されることを抑制しながら、バストの揺れを軽減させる効果を得ることができる。
【００３８】
また、緊締力の強弱に関わらず、一定値以上のストレッチ性（本願明細書においては、１７．６Ｎ（１８００ｇｆ）荷重時の伸長率（＝β）を意味する。）を実現することが可能である。たとえば、上述した「緊締力が強い／弱い」素材について上記伸長率（β）をともに４０パーセント以上程度にすることが可能である。これにより、締め付けが強過ぎて運動が阻害されることを抑制することができる。
【００３９】
上記のような緊締力およびストレッチ特性を実現するために、たとえば、弾性糸を編物の構成糸に用いた場合には、以下のような手段を用いることが考えられる。
(I)強緊締素材において、弱緊締素材と比べて弾性糸の構成比率を高くする。
(II)強緊締素材において、弱緊締素材と比べて弾性糸の繊度を大きくする。
(III)強緊締素材において、弱緊締素材と比べて編み密度を高くする。
(IV)強緊締素材において、弱緊締素材と比べて弾性糸の張力を大きくして編物を製造する。
(V)強緊締素材において、弱緊締素材に比べて生地の厚みを大きくして編物を製造する。
【００４０】
また、高捲縮仮燃加工を施して伸縮性を持たせたポリエステル，ナイロンなどの高捲縮仮燃加工糸を生地の少なくとも一部または全部に使用することも可能である。また、伸縮性のあるニットを複数枚重ねて使用することも可能である。さらに、伸縮性を有するニット生地どうしをラミネート加工して二層構造にした二層ラミネート生地や、伸縮性を有するポリウレタンシートを伸縮性を有するニット生地で挟み込みラミネート加工して三層構造にした三層ラミネート生地が使用されてもよい。
【００４１】
上記緊締力およびストレッチ性の指標となる伸長率の測定は、たとえば、東洋ボールドウイン社製のＴＥＮＳＩＬＯＮ万能型引張試験機（ＵＴＭ−III−２００）を用いて行なわれる。本願明細書に示される伸長率は、引張強度を２０ｃｍ／分とし、試料生地の大きさを５ｃｍ（巾）×２０ｃｍ（長さ）とし、試料つかみ間隔を１０ｃｍとした場合の測定結果である。なお、緊締力およびストレッチ製を測定する際は、上述したように、それぞれ４．９Ｎ（５００ｇｆ），１７．６Ｎ（１８００ｇｆ）の荷重を加える。また、実際に測定を行なう際は、測定対象となる部分（たとえば、第１と第２部分）のみの編地で試料生地を編成し測定する。
【００４２】
上記構成によれば、たとえば、ランニング時のバストの揺れを抑えるブラジャーにおいて、着地時のバストの上下方向の運動を抑えることができる一方で、バストの揺れの位相を遅らせ、衝撃を吸収することができる。このように、本実施の形態に係るスポーツ用ブラジャーによれば、装着者のバストを過度に締め付ける必要がなく、装着者に与える圧迫感（息苦しさ）などを抑制しながら運動時の装着者のバストの揺れを制御することができる。
【００４３】
上記衝撃吸収のメカニズムについて説明すると以下のようになる。
【００４４】
たとえば、ランニング時のバストの揺れを制御するブラジャーの場合、第１部分に隣接する第２部分は、横方向（第１方向）の緊締力が弱く、横方向のストレッチ性が相対的に高い。したがって、乳房が下方向に揺れる場合、強緊締素材からなる第１部分が乳房の下部をしかっりと保持するとともに、第１部分に隣接する第２部分においてはゆっくりと生地が伸長するので、下向きに動く乳房の揺れの位相を遅らせることができる。
【００４５】
ところで、カップ部に対して第１と第２部分の少なくとも反対側には、カップ部に沿って該カップ部の外側に第２部分の第１方向の緊締力よりも強い緊締力を有する第３部分が設けられることが好ましい。第１と第２部分がカップ部の下側に設けられる場合、第３部分は、たとえば、第１と第２部分の反対側であるカップ部の上側からカップ部の脇側にかけて該カップ部の外側に設けられる。このような第３部分が設けられることにより、第１と第２部分の反対側からカップ部をしっかりと保持することができる。この結果、装着者の乳房の揺れをさらに制御しやすくなる。また、第３部分がカップ部の外側に配置されることにより、装着者が圧迫感を感じることが抑制される。
【００４６】
第３部分は、典型的には第１部分と同じ素材で構成されるが、第１と第３部分に異なる素材が用いられてもよい。
【００４７】
ランニング時のバストの揺れを制御するブラジャーにおいては、上述したように、カップ部の下側に第１と第２部分が設けられ、その反対側であるカップ部の上側を含む領域に第３部分が設けられる。この場合、第３部分の上側には、装着者の肩に掛けられる肩紐部が設けられる。ここで、肩紐部は第３部分に隣接する位置から第３部分と離れる位置に向かって段階的に緊締力が弱くなるように形成されることが好ましい。これにより、肩紐部分が過度に伸びて乳房の揺れ制御が阻害されることを抑制することができる。
【００４８】
ところで、緊締力の「強／弱」を編み組織を異ならせることで形成する場合、緊締力（編み組織）が異なる部分の境界については、明確な境界線があってもよいし、連続的に徐々に緊締力（編み組織）を変化させることで明確な境界線をなくしてもよい。
【００４９】
装着者のバストに接触する内層部は、編地で構成されてもよいし、パッドで構成されてもよい。
【００５０】
内層部を編地で構成する場合、相対的に緊締力の強い編地と相対的に緊締力の弱い編地とを混在させることが好ましい。ここでいう緊締力の「強／弱」の具体的な範囲は、上述した外層部における第１と第２部分の緊締力の「強／弱」と同様である。強緊締部分と弱緊締部分とを混在させることにより、緊締力が強い編地部分がバストを押さえる一方で、緊締力が弱い編地部分にバストの膨らみが入り込む。したがって、装着者の肌と編地との接触面積が増加し、摩擦抵抗が大きくなるので、バスト接触部分がバストをしっかりと保持することができる。この結果、上記第１と第２部分を含む外層部の構造による揺れ軽減の効果が十分に発揮される。なお、強緊締部分と弱緊締部分との配置については、ドット柄、ライン柄、格子柄、千鳥柄、ストライプ柄、波形柄などが採用可能である。また、強緊締部分と弱緊締部分との面積比（強：弱）は、２０：８０〜６０：４０（より好ましくは３０：７０〜５０：５０、最も好ましくは４０：６０）であることが好ましい。面積比を上記範囲内とすることで、グリップ力を十分に発揮しながら装着者が締め付けによる違和感を感じることを抑制することができる。
【００５１】
内層部をパッドで構成する場合、該パッドは、装着者の乳房を保持する凹凸部分を有することが好ましい。このような凹凸部分が設けられることにより、凸部（突起部）がしっかりとバストを押さえる一方で、凹部（ベース部分）にバストの膨らみが入り込む。したがって、装着者の肌とパッドとの接触面積が増加し、摩擦抵抗が大きくなるので、バスト接触部分がバストをしっかりと保持することができる。この結果、上記第１と第２部分を含む外層部の構造による揺れ軽減の効果が十分に発揮される。なお、乳頭部分には凸部を設けないようにしてもよい。
【００５２】
中間層部は、典型的には、衝撃緩衝や装着者のバストが外側に透けて見えることを防止することを目的として設けられる。該中間層部に用いられる素材は、衝撃吸収性や通気性を有することが好ましい。衝撃吸収性を有する中間層部が設けられることで、バストの揺れの位相をより効果的に遅らせることが可能になる。
【００５３】
中間層部が編地で構成される場合、用いられる繊維素材は特に限定されず、天然繊維、合成繊維、またはそれらの組合わせが選択可能である。また、中間層部は、平織りなどの織物、トリコット，ダブルラッセル，シンカーパイルニット，丸編みなどの編物、ダブルラッセルなどの三次元構造布、多重織物のいずれにより構成されてもよい。
【００５４】
中間層部が発泡体で構成される場合、該中間層部は、たとえば、ポリウレタン，ポリスチレン，ポリプロピレン，ポリブタジエン，天然ゴム，合成ゴム，シリコンなどによる合成樹脂発泡体により構成することが可能である。
【００５５】
中間層部の形状は、上記目的を達成し得る限り、特に限定されない。たとえば、内層部を編地で構成する場合には、内層部と中間層部とを同形状とすることが考えられる。
【００５６】
中間層部は、典型的には、外層部と縫着または接着により一体化される。ただし、一般的に中間層部と外層部とでは生地の伸縮率が異なるため、全周固定は行なわず、たとえば下側と外側のみ縫製することが好ましい。
【００５７】
以下に、本発明に基づく実施例１〜１４について、図１から図２８を用いて説明する。
【実施例１】
【００５８】
図１は、実施例１に係るスポーツ用ブラジャーを示した図であり、図２は、該ブラジャーにおける衝撃吸収構造を示した図である。
【００５９】
図１を参照して、本実施例に係るスポーツ用ブラジャー１は、装着者のバスト（乳房）を受け入れるカップ部２と、装着者の肩に掛けられる肩紐部分３と、首ぐり部分４および脇ぐり部分５と、アンダーバスト部６とを備える。
【００６０】
スポーツ用ブラジャー１の装着者が運動する際には、装着者のバストに様々な方向（たとえば図１中の矢印方向）の揺れが生じる。特にランニングなどを行なう際は、上下方向の揺れが顕著である。
【００６１】
これに対し、本実施例に係るスポーツ用ブラジャー１は、図２に示すように、カップ部２の下部に設けられた強緊締素材からなる第１部分２Ａと、第１部分２Ａを挟むように設けられた第２部分２Ｂとを備える。ここで、第１部分２Ａは、カップ部２の周縁部に沿って該カップ部２の内側に設けられる。また、第２部分２Ｂは、体の中央側においてはカップ部２の周縁部に沿って該カップ部２の外側に設けられ、脇側においてはカップ部２の周縁部に沿って該カップ部２の内側に設けられる。カップ部２の上側および脇側には、強緊締素材からなる第３部分２Ｃが設けられている。肩紐部分３は、第３部分２Ｃから上方向に向かって段階的に縦方向の緊締力が弱くなるように形成されている。アンダーバスト部６は、リブ組織により構成される。
【００６２】
図２において、第１と第２部分２Ａ，２Ｂは横方向（図２中の矢印方向）に並んで形成されている。また、第１部分２Ａの長手方向は横方向である。
【００６３】
第１と第３部分２Ａ，２Ｃを構成する強緊締素材については、縦方向（図２中の上下方向）、横方向ともに緊締力を表す４．９Ｎ（５００ｇｆ）荷重時の伸長率が１８パーセントであり、ストレッチ性を表す１７．６Ｎ（１８００ｇｆ）荷重時の伸長率は４５パーセントである。
【００６４】
第２部分２Ｂを構成する素材は、縦方向と横方向とで緊締力が異なり、縦方向においては第１と第３部分２Ａ，２Ｃを構成する強緊締素材と同程度の緊締力を有し、横方向においては縦方向よりも弱い緊締力を有する。具体的には、横方向において、緊締力を表す４．９Ｎ（５００ｇｆ）荷重時の伸長率が６５パーセントであり、ストレッチ性を表す１７．６Ｎ（１８００ｇｆ）荷重時の伸長率は２００パーセントである。
【００６５】
スポーツ用ブラジャー１における第１〜第３部分２Ａ，２Ｂ，２Ｃ以外を構成する部分（身生地部分）は、縦横方向においてある程度の伸縮性を有する。当該部分については、緊締力を表す４．９Ｎ（５００ｇｆ）荷重時の伸長率が５０パーセントであり、ストレッチ性を表す１７．６Ｎ（１８００ｇｆ）荷重時の伸長率は１５０パーセントである。
【００６６】
図１６は、スポーツ用ブラジャー１におけるカップ部２周辺の構造を示した断面図である。
【００６７】
図１６を参照して、スポーツ用ブラジャー１のカップ部２は、外層部２０Ａ、中間層部２０Ｂおよび内層部２０Ｃの３層により構成される。
【００６８】
外層部２０Ａは、ナイロン繊維（９０質量パーセント）およびポリウレタン繊維（１０質量パーセント）から構成される。編み組織としては、プレーン編みとフロート編みとが組み合わされて適用される。
【００６９】
中間層部２０Ｂは、ナイロン繊維（８６質量パーセント）およびポリウレタン繊維（１４質量パーセント）から構成される。編み組織としては、ダブルラッセル編みが適用される。中間層部２０Ｂは、縫製部７により外層部２０Ａと一体化される。ただし、中間層部２０Ｂの外側（脇側）と下側のみが縫製される。
【００７０】
内層部２０Ｃは、弱緊締の編地と強緊締の編地とを混在させることにより構成される。なお、内層部２０Ｃを構成する繊維の比率および編み組織については、中間層部２０Ｂの場合と同様である。内層部２０Ｃは縫製部７により外層部２０Ａと一体化される。ここでは、内層部２０Ｃの周縁部が全周に亘って縫製される。
【００７１】
図１７は、スポーツ用ブラジャー１の内側の構造を示した図である。
【００７２】
図１７を参照して、カップ部の内層部を構成する編地８は、強緊締部分８Ａと弱緊締部分８Ｂとを有する。ここでは、弱緊締部分８Ｂ上において強緊締部分８Ａがドット状に形成されている。強緊締部分８Ａと弱緊締部分８Ｂとの面積比は、４０：６０程度である。
【００７３】
図１８，図１９は、図１７に示すスポーツ用ブラジャーの内側の構造の変形例を示した図である。
【００７４】
図１８を参照して、カップ部の内層部を樹脂などからなるパッド９で構成することも可能である。パッド９は、縫製部７により外層部２０Ａと一体化される。ここでは、バッド９の外側（脇側）と下側のみが縫製される。これにより、サイズ適応性が向上する。また、図１９に示すように、伸縮性のある生地１０を介してパッド９を外層部２０Ａと縫製してもよい。
【００７５】
図２０は、パッド９を拡大して示した図である。また、図２１，図２２は、それぞれ図２０におけるＸＸI−ＸＸI断面、ＸＸII−ＸＸII断面を示す。
【００７６】
図２０〜図２２を参照して、パッド９は、突起部９Ａとベース部９Ｂとからなる凹凸部分を有する。なお、突起部９Ａの厚み（ｔ１）は４．５ｍｍ程度であり、ベース部９Ｂの厚み（ｔ２）は２ｍｍ程度である。
【００７７】
スポーツ用ブラジャー１の作製に際しては、まず、カップ部の外層部を含むブラジャー全体を構成する丸編地が編成される。ここで、繊維の方向は、縦方向／横方向（たとえば図１における上下方向／左右方向）になる。次に、首ぐり部分と脇ぐり部分とが裁断により形成された後、肩紐部分が縫製により繋がれる。丸編地を編成する編機としては、たとえば、釜系が４インチ程度である丸編み機（より具体的には、イタリアＬＯＮＡＴＩ社製のＬシリーズなど）や釜系が１３インチ程度である丸編み機（より具体的には、イタリアＳＡＮＴＯＮＩ社製のＳＭシリーズなど）が使用可能である。これらの丸編み機は、コンピュータ制御または機械的制御により編み針の動きを制御することが可能であり、任意の箇所を任意の編み組織で編成したり、任意の場所を任意の糸で編成したり、任意の場所の編み条件を変えながら立体的に膨らませた状態で編成することが可能である。
【００７８】
上記のように編成された丸編地は、プレセット工程において、型板に嵌めた状態で加熱されることが好ましい。ポリエステル，ナイロンなどの合成繊維は、加熱されることにより収縮する性質があるので、ループが引き締まり生地が安定するという効果がある。結果として、染色工程において生地に物理的な力が加えられた場合にも、ある程度の寸法安定性を確保することができる。なお、染色工程においては、丸編地はネットに入れられ、ドラム型の染色機に投入される。この際、吸汗性、抗菌防臭性などを有する薬剤を投入し、これらの機能を生地に付与することも可能である。
【００７９】
次に、ランニング時にバストに加わる衝撃の測定方法について説明する。図２３は、衝撃測定時の加速度計の貼付け位置を示す図である。
【００８０】
図２３を参照して、加速度計（図２３中の「×」）は、裸体立位で体幹から乳房の高さの１／３程度（図２３（ａ）参照）の乳頭直下（図２３（ｂ）参照）に貼付けられる。加速度計としては、ＰＣＢ  Ｐｉｅｚｏｔｒｏｎｉｃｓ社製の３５２Ａ２４（重量０．８ｇ程度）が使用可能である。
【００８１】
図２４〜図２７は、ランニング時にバストに加わる衝撃加速度を測定した実験結果を示す図である。図２４〜図２７において、「右」「左」とは、それぞれ右胸，左胸の測定結果を意味する。また、図２４〜図２７において、ケース１は、衣類を装着しないヌードの状態で計測した結果を示し、ケース２は、スポーツ用ではない一般のブラジャーを装着した状態で計測した結果を示し、ケース３は、従来のスポーツ用ブラジャーを装着した状態で計測した結果を示し、ケース４は、本実施例に係るスポーツ用ブラジャー１を装着した状態で計測した結果を示す。なお、図２４，図２５は、１６６ｍ／ｍｉｎの速度で走行する際にそれぞれ右足，左足が接地したときの衝撃加速度を示したものであり、図２６，図２７は、２００ｍ／ｍｉｎの速度で走行する際にそれぞれ右足，左足が接地したときの衝撃加速度を示したものである。
【００８２】
図２４〜図２７を参照して、全ての実験条件において、ケース４の衝撃加速度が他のケースの衝撃加速度と比較して小さいことが分かる。すなわち、本実施例に係るスポーツ用ブラジャーによれば、従来のブラジャーに比べて、ランニング時に乳房の下部に作用する衝撃加速度をより効果的に抑制できるということが分かる。なお、図２４〜図２７に示す殆どのケースにおいて、右胸の衝撃加速度が左胸の衝撃加速度よりも大きくなっているのは、当該被験者の特性によるものと考えられる。
【００８３】
図２８は、ランニング時にバストに加わる加速度と時間の経過との関係（１６６ｍ／ｍｉｎ，左足接地，左胸）を示す図である。なお、図２８におけるケース１〜４の加速度の最大値が、図２５におけるケース１〜４の「左」の衝撃加速度の値に相当する。
【００８４】
図２８を参照して、ケース４の加速度のピークは、ケース１〜３の加速度のピークよりも遅れて現れている。すなわち、本実施例に係るスポーツ用ブラジャーによれば、足の接地時に下向きに動くバストの揺れの位相を遅らせ、加速度の最大値（ピーク値）を低く抑えることができる。
【００８５】
以上に述べたように、本実施例に係るスポーツ用ブラジャー１によれば、装着者のバストに作用する衝撃を和らげる効果が得られる。ここでは、特に、下側に動いたバストが跳ね返る際の衝撃が緩和される。
【実施例２】
【００８６】
図３は、実施例２に係るスポーツ用ブラジャーにおける第１〜第３部分の配置を示した図である。
【００８７】
本実施例に係るスポーツ用ブラジャーは、実施例１に係るスポーツ用ブラジャーの変形例であって、基本的には実施例１に係るブラジャーと同様の構成を有するが、第１部分２Ａを挟み込む第２部分２Ｂが、脇側，体の中央側ともにカップ部２の外側に配置される点で実施例１と異なる。
【００８８】
このような構成によっても、実施例１に係るスポーツ用ブラジャーと同様に、装着者のバストに作用する衝撃を和らげる効果が得られる。ここでは、特に、下側に動いたバストが跳ね返る際の衝撃が緩和される。
【００８９】
本実施例において、実施例１と同様の事項については、詳細な説明は繰り返されない。
【実施例３】
【００９０】
図４は、実施例３に係るスポーツ用ブラジャーにおける第１〜第３部分の配置を示した図である。
【００９１】
本実施例に係るスポーツ用ブラジャーは、実施例１，２に係るスポーツ用ブラジャーの変形例であって、基本的には実施例１，２に係るブラジャーと同様の構成を有するが、第１部分２Ａを挟み込む第２部分２Ｂが、体の中央側においてはカップ部２の内側に配置され、脇側においてはカップ部２の外側に配置される点で実施例１と異なる。
【００９２】
このような構成によっても、実施例１，２に係るスポーツ用ブラジャーと同様に、装着者のバストに作用する衝撃を和らげる効果が得られる。ここでは、特に、下側に動いたバストが跳ね返る際の衝撃が緩和される。
【００９３】
本実施例において、実施例１，２と同様の事項については、詳細な説明は繰り返されない。
【実施例４】
【００９４】
図５は、実施例４に係るスポーツ用ブラジャーにおける第１〜第３部分の配置を示した図である。
【００９５】
本実施例に係るスポーツ用ブラジャーは、実施例１〜３に係るスポーツ用ブラジャーの変形例であって、基本的には実施例１〜３に係るブラジャーと同様の構成を有するが、第１部分２Ａを挟み込む第２部分２Ｂが、脇側，体の中央側ともにカップ部２の内側に配置される点で実施例１〜３と異なる。
【００９６】
このような構成によっても、実施例１〜３に係るスポーツ用ブラジャーと同様に、装着者のバストに作用する衝撃を和らげる効果が得られる。ここでは、特に、下側に動いたバストが跳ね返る際の衝撃が緩和される。
【００９７】
本実施例において、実施例１〜３と同様の事項については、詳細な説明は繰り返されない。
【実施例５】
【００９８】
図６は、実施例５に係るスポーツ用ブラジャーにおける第１〜第３部分の配置を示した図である。
【００９９】
本実施例に係るスポーツ用ブラジャーは、実施例１〜４に係るスポーツ用ブラジャーの変形例であって、基本的には実施例１〜４に係るブラジャーと同様の構成を有するが、第１と第２部分２Ａ，２Ｂがカップ部２の上部に配置され、第３部分２Ｃがカップ部２の脇側から下側にかけて配置される点で実施例１〜４と異なる。なお、図６に示す例では、第１と第２部分２Ａ，２Ｂは横方向（図６中の矢印方向）に並んで形成されている。また、第１部分２Ａの長手方向は横方向である。ここでは、第２部分２Ｂは、縦方向（図６中の上下方向）において第１部分２Ａと同程度の緊締力を有し、横方向において縦方向よりも弱い緊締力を有する。
【０１００】
ここで、乳房の内側（体の中央側）方向への揺れの制御を考慮する場合は、左右のカップ部に挟まれた中央部分２Ｄ（身生地部分）にも第３部分２Ｃと同様の強緊締素材を配置することが好ましい。また、締め付けによる圧迫感の軽減を考慮する場合は、中央部分２Ｄには強緊締素材は配置しないことが好ましい。本実施例では、中央部分２Ｄに強緊締素材を配置していない例を示している。
【０１０１】
このような構成によっても、実施例１〜４に係るスポーツ用ブラジャーと同様に、装着者のバストに作用する衝撃を和らげる効果が得られる。ここでは、特に、上側に動いたバストが跳ね返る際の衝撃が緩和される。
【０１０２】
本実施例において、実施例１〜４と同様の事項については、詳細な説明は繰り返されない。
【実施例６】
【０１０３】
図７は、実施例６に係るスポーツ用ブラジャーにおける第１〜第３部分の配置を示した図である。
【０１０４】
本実施例に係るスポーツ用ブラジャーは、実施例１〜５に係るスポーツ用ブラジャーの変形例であって、基本的には実施例１〜５に係るブラジャーと同様の構成を有するが、第１と第２部分２Ａ，２Ｂがカップ部２における脇側の側部に配置され、第３部分２Ｃがカップ部２に対して体の中央側からカップ部２の上側、下側にかけて配置される点で実施例１〜５と異なる。なお、図７に示す例では、第１と第２部分２Ａ，２Ｂは縦方向（図７中の矢印方向）に並んで形成されている。また、第１部分２Ａの長手方向は縦方向である。ここでは、第２部分２Ｂは、横方向（図７中の左右方向）において第１部分２Ａと同程度の緊締力を有し、縦方向において横方向よりも弱い緊締力を有する。
【０１０５】
このような構成によっても、実施例１〜５に係るスポーツ用ブラジャーと同様に、装着者のバストに作用する衝撃を和らげる効果が得られる。ここでは、特に、脇側（外側）に動いたバストが跳ね返る際の衝撃が緩和される。
【０１０６】
本実施例において、実施例１〜５と同様の事項については、詳細な説明は繰り返されない。
【実施例７】
【０１０７】
図８は、実施例７に係るスポーツ用ブラジャーにおける第１〜第３部分の配置を示した図である。
【０１０８】
本実施例に係るスポーツ用ブラジャーは、実施例１〜６に係るスポーツ用ブラジャーの変形例であって、基本的には実施例１〜６に係るブラジャーと同様の構成を有するが、第１と第２部分２Ａ，２Ｂがカップ部２における体の中央側の側部に配置され、第３部分２Ｃがカップ部２の脇側から上側、下側にかけて配置される点で実施例１〜６と異なる。なお、図８に示す例では、第１と第２部分２Ａ，２Ｂは縦方向（図８中の矢印方向）に並んで形成されている。また、第１部分２Ａの長手方向は縦方向である。ここでは、第２部分２Ｂは、横方向（図８中の左右方向）において第１部分２Ａと同程度の緊締力を有し、縦方向において横方向よりも弱い緊締力を有する。
【０１０９】
このような構成によっても、実施例１〜６に係るスポーツ用ブラジャーと同様に、装着者のバストに作用する衝撃を和らげる効果が得られる。ここでは、特に、体の中央側に動いたバストが跳ね返る際の衝撃が緩和される。
【０１１０】
本実施例において、実施例１〜６と同様の事項については、詳細な説明は繰り返されない。
【実施例８】
【０１１１】
図９は、実施例８に係るスポーツ用ブラジャーにおける第１〜第３部分の配置を示した図である。
【０１１２】
本実施例に係るスポーツ用ブラジャーは、実施例１〜７に係るスポーツ用ブラジャーの変形例であって、基本的には実施例１〜７に係るブラジャーと同様の構成を有するが、第１と第２部分２Ａ，２Ｂがカップ部２の外下側に配置され、第３部分２Ｃがカップ部２の内上側から外上側、内下側にかけて配置される点で実施例１〜７と異なる。なお、図９に示す例では、第１と第２部分２Ａ，２Ｂは外上側から内下側に向かう斜め方向（図９中の矢印方向）に並んで形成されている。また、第１部分２Ａの長手方向は図９中の矢印方向である。ここでは、第２部分２Ｂは、矢印方向に直交する斜め方向（内上側から外下側に向かう方向）において第１部分２Ａと同程度の緊締力を有し、矢印方向において矢印方向に直交する斜め方向よりも弱い緊締力を有する。ここで、第１と第２部分の繊維の方向は斜め方向である。このような第１と第２部分２Ａ，２Ｂは、カットソーにより形成可能である。
【０１１３】
このような構成によっても、実施例１〜７に係るスポーツ用ブラジャーと同様に、装着者のバストに作用する衝撃を和らげる効果が得られる。ここでは、特に、体の外下側に動いたバストが跳ね返る際の衝撃が緩和される。
【０１１４】
本実施例において、実施例１〜７と同様の事項については、詳細な説明は繰り返されない。
【実施例９】
【０１１５】
図１０は、実施例９に係るスポーツ用ブラジャーにおける第１〜第３部分の配置を示した図である。
【０１１６】
本実施例に係るスポーツ用ブラジャーは、実施例１〜８に係るスポーツ用ブラジャーの変形例であって、基本的には実施例１〜８に係るブラジャーと同様の構成を有するが、第１と第２部分２Ａ，２Ｂがカップ部２の外上側に配置され、第３部分２Ｃがカップ部２の内下側から内上側、外下側にかけて配置される点で実施例１〜８と異なる。なお、図１０に示す例では、第１と第２部分２Ａ，２Ｂは内上側から外下側に向かう斜め方向（図１０中の矢印方向）に並んで形成されている。また、第１部分２Ａの長手方向は図１０中の矢印方向である。ここでは、第２部分２Ｂは、矢印方向に直交する斜め方向（外上側から内下側に向かう方向）において第１部分２Ａと同程度の緊締力を有し、矢印方向において矢印方向に直交する斜め方向よりも弱い緊締力を有する。ここで、第１と第２部分の繊維の方向は斜め方向である。このような第１と第２部分２Ａ，２Ｂは、カットソーにより形成可能である。
【０１１７】
このような構成によっても、実施例１〜８に係るスポーツ用ブラジャーと同様に、装着者のバストに作用する衝撃を和らげる効果が得られる。ここでは、特に、体の外上側に動いたバストが跳ね返る際の衝撃が緩和される。
【０１１８】
本実施例において、実施例１〜８と同様の事項については、詳細な説明は繰り返されない。
【実施例１０】
【０１１９】
図１１は、実施例１０に係るスポーツ用ブラジャーにおける第１〜第３部分の配置を示した図である。
【０１２０】
本実施例に係るスポーツ用ブラジャーは、実施例１〜９に係るスポーツ用ブラジャーの変形例であって、基本的には実施例１〜９に係るブラジャーと同様の構成を有するが、第１と第２部分２Ａ，２Ｂがカップ部２の内上側に配置され、第３部分２Ｃがカップ部２の外下側から外上側、内下側にかけて配置される点で実施例１〜９と異なる。なお、図１１に示す例では、第１と第２部分２Ａ，２Ｂは外上側から内下側に向かう斜め方向（図１１中の矢印方向）に並んで形成されている。また、第１部分２Ａの長手方向は図１１中の矢印方向である。ここでは、第２部分２Ｂは、矢印方向に直交する斜め方向（内上側から外下側に向かう方向）において第１部分２Ａと同程度の緊締力を有し、矢印方向において矢印方向に直交する斜め方向よりも弱い緊締力を有する。ここで、第１と第２部分の繊維の方向は斜め方向である。このような第１と第２部分２Ａ，２Ｂは、カットソーにより形成可能である。
【０１２１】
このような構成によっても、実施例１〜９に係るスポーツ用ブラジャーと同様に、装着者のバストに作用する衝撃を和らげる効果が得られる。ここでは、特に、体の内上側に動いたバストが跳ね返る際の衝撃が緩和される。
【０１２２】
本実施例において、実施例１〜９と同様の事項については、詳細な説明は繰り返されない。
【実施例１１】
【０１２３】
図１２は、実施例１１に係るスポーツ用ブラジャーにおける第１〜第３部分の配置を示した図である。
【０１２４】
本実施例に係るスポーツ用ブラジャーは、実施例１〜１０に係るスポーツ用ブラジャーの変形例であって、基本的には実施例１〜１０に係るブラジャーと同様の構成を有するが、第１と第２部分２Ａ，２Ｂがカップ部２の内下側に配置され、第３部分２Ｃがカップ部２の外上側から内上側、外下側にかけて配置される点で実施例１〜１０と異なる。なお、図１２に示す例では、第１と第２部分２Ａ，２Ｂは内上側から外下側に向かう斜め方向（図１２中の矢印方向）に並んで形成されている。また、第１部分２Ａの長手方向は図１２中の矢印方向である。ここでは、第２部分２Ｂは、矢印方向に直交する斜め方向（外上側から内下側に向かう方向）において第１部分２Ａと同程度の緊締力を有し、矢印方向において矢印方向に直交する斜め方向よりも弱い緊締力を有する。ここで、第１と第２部分の繊維の方向は斜め方向である。このような第１と第２部分２Ａ，２Ｂは、カットソーにより形成可能である。
【０１２５】
このような構成によっても、実施例１〜１０に係るスポーツ用ブラジャーと同様に、装着者のバストに作用する衝撃を和らげる効果が得られる。ここでは、特に、体の内下側に動いたバストが跳ね返る際の衝撃が緩和される。
【０１２６】
本実施例において、実施例１〜１０と同様の事項については、詳細な説明は繰り返されない。
【実施例１２】
【０１２７】
図１３は、実施例１２に係るスポーツ用ブラジャーにおける第１〜第３部分の配置を示した図である。
【０１２８】
本実施例に係るスポーツ用ブラジャーは、実施例１〜１１に係るスポーツ用ブラジャーの変形例であって、基本的には実施例１〜１１に係るブラジャーと同様の構成を有するが、第１と第２部分２Ａ，２Ｂがカップ部２の上部と下部の双方に配置され、第３部分２Ｃがカップ部２の脇側に配置される点で実施例１〜１１と異なる。なお、図１３に示す例では、第１と第２部分２Ａ，２Ｂは、上部，下部ともに横方向（図１３中の矢印方向）に並んで形成されている。また、第１部分２Ａの長手方向は、上部，下部ともに図１３中の矢印方向である。ここでは、第２部分２Ｂは、上部，下部ともに縦方向（図１３中の上下方向）において第１部分２Ａと同程度の緊締力を有し、横方向において縦方向よりも弱い緊締力を有する。
【０１２９】
このような構成によっても、実施例１〜１１に係るスポーツ用ブラジャーと同様に、装着者のバストに作用する衝撃を和らげる効果が得られる。ここでは、特に、体の上側および下側に動いたバストが跳ね返る際の衝撃が緩和される。
【０１３０】
本実施例において、実施例１〜１１と同様の事項については、詳細な説明は繰り返されない。
【実施例１３】
【０１３１】
図１４は、実施例１３に係るスポーツ用ブラジャーにおける第１〜第３部分の配置を示した図である。
【０１３２】
本実施例に係るスポーツ用ブラジャーは、実施例１〜１２に係るスポーツ用ブラジャーの変形例であって、基本的には実施例１〜１２に係るブラジャーと同様の構成を有するが、第１と第２部分２Ａ，２Ｂがカップ部２の下部と脇側の側部の双方に配置され、第３部分２Ｃがカップ部２の上側からカップ部２に対して体の中央側にかけて配置される点で実施例１〜１２と異なる。なお、図１４に示す例では、下部の第１と第２部分２Ａ，２Ｂは、横方向（図１４中の矢印方向）に並んで形成され、側部の第１と第２部分２Ａ，２Ｂは、縦方向（図１４中の破線矢印方向）に並んで形成されている。また、下部，脇部の第１部分２Ａの長手方向は、それぞれ図１４中の矢印方向，破線矢印方向である。ここでは、下部の第２部分２Ｂは、縦方向において第１部分２Ａと同程度の緊締力を有し、横方向において縦方向よりも弱い緊締力を有する一方で、側部の第２部分２Ｂは、横方向において第１部分２Ａと同程度の緊締力を有し、縦方向において縦方向よりも弱い緊締力を有する。
【０１３３】
このような構成によっても、実施例１〜１２に係るスポーツ用ブラジャーと同様に、装着者のバストに作用する衝撃を和らげる効果が得られる。ここでは、特に、下側および脇側（外側）に動いたバストが跳ね返る際の衝撃が緩和される。
【０１３４】
本実施例において、実施例１〜１２と同様の事項については、詳細な説明は繰り返されない。
【実施例１４】
【０１３５】
図１５は、実施例１４に係るスパッツ（タイツ）１Ａにおける第１〜第３部分の配置を示した図である。
【０１３６】
図１５を参照して、スパッツ１Ａは、装着者の臀部を受ける尻当て部２００（サポート部）を有する。尻当て部２００の下部には、実施例１〜１３に係るスポーツ用ブラジャー１における第１と第２部分と同様の構成を有する第１〜第３部分２Ａ，２Ｂ，２Ｃが設けられている。
【０１３７】
上記構成によれば、装着者の臀部に作用する衝撃を和らげる効果が得られる。ここでは、特に、下側に動いた臀部が跳ね返る際の衝撃が緩和される。
【０１３８】
本実施例において、実施例１〜１３と同様の事項については、詳細な説明は繰り返されない。
【０１３９】
以上、本発明の実施の形態および実施例について説明したが、上述した実施の形態および各実施例の特徴部分を適宜組合わせることは、当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【０１４０】
【図１】本発明の実施例１〜１３に係るスポーツ用ブラジャー（スポーツ用衣類）を示した図である。
【図２】本発明の実施例１に係るスポーツ用ブラジャー（スポーツ用衣類）における第１〜第３部分の配置を示した図である。
【図３】本発明の実施例２に係るスポーツ用ブラジャー（スポーツ用衣類）における第１〜第３部分の配置を示した図である。
【図４】本発明の実施例３に係るスポーツ用ブラジャー（スポーツ用衣類）における第１〜第３部分の配置を示した図である。
【図５】本発明の実施例４に係るスポーツ用ブラジャー（スポーツ用衣類）における第１〜第３部分の配置を示した図である。
【図６】本発明の実施例５に係るスポーツ用ブラジャー（スポーツ用衣類）における第１〜第３部分の配置を示した図である。
【図７】本発明の実施例６に係るスポーツ用ブラジャー（スポーツ用衣類）における第１〜第３部分の配置を示した図である。
【図８】本発明の実施例７に係るスポーツ用ブラジャー（スポーツ用衣類）における第１〜第３部分の配置を示した図である。
【図９】本発明の実施例８に係るスポーツ用ブラジャー（スポーツ用衣類）における第１〜第３部分の配置を示した図である。
【図１０】本発明の実施例９に係るスポーツ用ブラジャー（スポーツ用衣類）における第１〜第３部分の配置を示した図である。
【図１１】本発明の実施例１０に係るスポーツ用ブラジャー（スポーツ用衣類）における第１〜第３部分の配置を示した図である。
【図１２】本発明の実施例１１に係るスポーツ用ブラジャー（スポーツ用衣類）における第１〜第３部分の配置を示した図である。
【図１３】本発明の実施例１２に係るスポーツ用ブラジャー（スポーツ用衣類）における第１〜第３部分の配置を示した図である。
【図１４】本発明の実施例１３に係るスポーツ用ブラジャー（スポーツ用衣類）における第１〜第３部分の配置を示した図である。
【図１５】本発明の実施例１４に係るスパッツ（スポーツ用衣類）における第１〜第３部分の配置を示した図である。
【図１６】本発明の実施例１〜１３に係るスポーツ用ブラジャー（スポーツ用衣類）におけるカップ部周辺の構造を示した断面図である。
【図１７】本発明の実施例１〜１３に係るスポーツ用ブラジャー（スポーツ用衣類）の内側の構造を示した図である。
【図１８】本発明の実施例１〜１３に係るスポーツ用ブラジャー（スポーツ用衣類）の内側の構造の変形例を示した図である。
【図１９】本発明の実施例１〜１３に係るスポーツ用ブラジャー（スポーツ用衣類）の内側の構造の他の変形例を示した図である。
【図２０】スポーツ用ブラジャーの内層部として用いられるパッドを拡大して示した図である。
【図２１】図２０におけるＸＸI−ＸＸI断面を示す図である。
【図２２】図２０におけるＸＸII−ＸＸII断面を示す図である。
【図２３】衝撃測定時の加速度計の貼付け位置を示す図であり、（ａ）は側面図、（ｂ）は正面図である。
【図２４】ランニング（１６６ｍ／ｍｉｎ）時にバストに加わる衝撃（右足接地時）を測定した実験結果を示す図である。
【図２５】ランニング（１６６ｍ／ｍｉｎ）時にバストに加わる衝撃（左足接地時）を測定した実験結果を示す図である。
【図２６】ランニング（２００ｍ／ｍｉｎ）時にバストに加わる衝撃（右足接地時）を測定した実験結果を示す図である。
【図２７】ランニング（２００ｍ／ｍｉｎ）時にバストに加わる衝撃（左足接地時）を測定した実験結果を示す図である。
【図２８】ランニング時にバストに加わる加速度と時間の経過との関係を示す図である。
【符号の説明】
【０１４１】
１  スポーツ用ブラジャー、１Ａ  スパッツ、２  カップ部、２Ａ  第１部分、２Ｂ  第２部分、２Ｃ  第３部分、２Ｄ  中央部分、３  肩紐部分、４  首ぐり部分、５  脇ぐり部分、６  アンダーバスト部、７  縫製部、８  編地、８Ａ  強緊締部分、８Ｂ  弱緊締部分、９  パッド、９Ａ  突起部、９Ｂ  ベース部、１０  生地、２０Ａ  外層部、２０Ｂ  中間層部、２０Ｃ  内層部、２００  尻当て部。
【図１】
2006104613.tif 000003
【図２】
2006104613.tif 000004
【図３】
2006104613.tif 000005
【図４】
2006104613.tif 000006
【図５】
2006104613.tif 000007
【図６】
2006104613.tif 000008
【図７】
2006104613.tif 000009
【図８】
2006104613.tif 000010
【図９】
2006104613.tif 000011
【図１０】
2006104613.tif 000012
【図１１】
2006104613.tif 000013
【図１２】
2006104613.tif 000014
【図１３】
2006104613.tif 000015
【図１４】
2006104613.tif 000016
【図１５】
2006104613.tif 000017
【図１６】
2006104613.tif 000018
【図１７】
2006104613.tif 000019
【図１８】
2006104613.tif 000020
【図１９】
2006104613.tif 000021
【図２０】
2006104613.tif 000022
【図２１】
2006104613.tif 000023
【図２２】
2006104613.tif 000024
【図２３】
2006104613.tif 000025
【図２４】
2006104613.tif 000026
【図２５】
2006104613.tif 000027
【図２６】
2006104613.tif 000028
【図２７】
2006104613.tif 000029
【図２８】
2006104613.tif 000030